(57)【要約】磁気機械電子式物品監視システムに使用するマーカー。ＥＡＳマーカーは少なくとも１つの共振器と、少なくとも１つの共振器の振動のためのハウジングと、少なくとも１つの共振器のためのバイアス磁界を与える第１磁化バイアス素子と、第２非磁化バイアス素子を含む。
2008510225.tif 000002
【特許請求の範囲】
【請求項１】
磁気機械電子式の物品監視（ＥＡＳ）システムに使用するマーカーであって：
少なくとも１つの共振器と；
前記少なくとも１つの共振器の振動を内部で可能に設けたハウジングと：
前記ハウジングの中に配設され前記少なくとも１つの共振器にバイアス磁界を供給するように構成された少なくとも１つのバイアス磁化素子と：
前記ハウジングの中の配設された少なくとも１つの非磁化バイアス素子と：
を含んでなるマーカー。
【請求項２】
請求項１に記載のマーカーであって、前記少なくとも１つの共振器は無定形磁気歪素子を含むマーカー。
【請求項３】
請求項１に記載のマーカーであって、前記第１及び第２バイアス素子は実質的に同じ寸法を有しかつ同じ材料から作られているマーカー。
【請求項４】
請求項１に記載のマーカーであって、前記第２バイアス素子は磁界にさらされて磁化されるように構成されているマーカー。
【請求項５】
請求項１に記載のマーカーであって、前記第１及び第２バイアス素子は磁界にさらされて磁化されるように構成され、かつ、該磁化された前記第１及び第２バイアス素子の両方により、前記少なくとも１つの共振器を前記ＥＡＳシステムの周波数範囲外で作動させることが可能な磁界強度が生成されるように構成されているマーカー。
【請求項６】
請求項１に記載のマーカーであって、複数の粘着層を含み、前記第１及び第２バイアス素子は前記複数の粘着層を用いて前記ハウジングに取り付けられているマーカー。
【請求項７】
請求項１に記載のマーカーであって、前記第１及び第２バイアス素子が磁界にさらされて磁化され、かつ、該磁化された前記第１及び第２バイアス素子の両方によって前記少なくとも１つの共振器の共振周波数が変えられるように構成されたマーカー。
【請求項８】
請求項１に記載のマーカーであって、前記少なくとも１つの磁化バイアス素子と、前記少なくとも１つの非磁化バイアス素子は，１つの積重ね配向、１つの並列配向又はそれらの組合せとして構成されているマーカー。
【請求項９】
磁気機械電子式物品監視システムのマーカーを非活性化する方法であって：
共振器にマーカーを提供し；
前記マーカーにおいて第１バイアス素子を第１磁化レベルで使用可能に構成し；
前記マーカーにおいて第２バイアス素子を第２磁化レベルで使用可能に構成し；
前記第１及び第２バイアス素子が所定の強さを有する磁界にさらされたときに前記第１及び第２バイアス素子の磁化レベルが実質的に等しくなるように構成する；
ことを含んでなる方法。
【請求項１０】
請求項９に記載の方法であって、前記共振器の共振周波数を変えるために前記第１バイアス素子と前記第２バイアス素子を磁界にさらすことをさらに含む方法。
【請求項１１】
請求項９に記載の方法であって、実質的に同じ寸法で同じ材料から前記第１バイアス素子と前記第２バイアス素子を実質的に同じ寸法で同じ材料から作ることをさらに含む方法。
【請求項１２】
請求項９に記載の方法であって：
第２バイアス素子を構成することは前記第２バイアス素子を実質的にゼロの磁化レベルに構成することと；
前記第１及び第２バイアス素子の磁化レベルを実質的に等しくすることは前記第１バイアス素子を消磁することと；
を含んでなる方法。
【請求項１３】
請求項９に記載の方法であって、粘着層を使用して前記第１及び第２バイアス素子をハウジングの中に取り付けることをさらに含む方法。
【請求項１４】
第１周波数で共振するＥＡＳ（電子式物品監視）システムマーカーであって、非活性化された後に磁界にさらされた際に前記第１周波数と異なる第２周波数で共振するように構成されたＥＡＳシステムマーカー。
【請求項１５】
請求項１４に記載のＥＡＳシステムマーカーであって：
少なくとも１つの共振器と：
所定の磁化レベルに磁化される第１バイアス素子と；
非磁化第２バイアス素子と；
を含んでなるＥＡＳシステムマーカー。
【請求項１６】
請求項１５に記載のＥＡＳシステムマーカーであって、前記第１バイアス素子と前記第２バイアス素子は実質的に同じ寸法を有しかつ同じ材料から作られているＥＡＳシステムマーカー。
【請求項１７】
請求項１５に記載のＥＡＳシステムマーカーであって、前記第２バイアス素子は、磁界にさらされて磁化されるように構成されているＥＡＳシステムマーカー。
【請求項１８】
請求項１５に記載のＥＡＳシステムマーカーであって、前記第１バイアス素子の非活性化の後に前記第１バイアス素子と前記第２バイアス素子は磁界にさらされて磁化されるように構成されているＥＡＳシステムマーカー。
【請求項１９】
請求項１５に記載のＥＡＳシステムマーカーであって、前記第１バイアス素子の非活性化の後に、前記第１及び第２バイアス素子が磁界にさらされて磁化されるように構成され、該磁化された第１及び第２バイアス素子の両方によって、前記少なくとも１つの共振器を前記第１バイアス素子のみが磁化されたときの周波数と異なる周波数で作動させる磁界強度が生成されるように構成されているＥＡＳシステムマーカー。
【請求項２０】
請求項１５に記載のＥＡＳシステムマーカーであって、ハウジングと、複数の粘着層を含んでなり、前記第１及び第２バイアス素子は前記粘着層を使用して前記ハウジングの中に固定されているＥＡＳシステムマーカー。
【請求項２１】
請求項１５に記載のＥＡＳシステムマーカーであって、前記少なくとも１つの共振器は無定形磁気歪素子を含むＥＡＳシステムマーカー。
【請求項２２】
磁気機械電子式の物品監視（ＥＡＳ）システムに使用するマーカーであって：
少なくとも１つの共振器と；
前記少なくとも１つの共振器の振動が内部で生じることを許容するように構成されたハウジングと；
前記ハウジングの中に配設され前記少なくとも１つの共振器のためのバイアス磁界を供給するように構成された少なくとも１つの永久磁化バイアス素子と；
前記ハウジングの中に配設された少なくとも１つのバイアス素子であって、該バイアス素子の磁化と減磁を許容する保磁力を有する少なくとも１つのバイアス素子と；
を含んでなるマーカー。
【請求項２３】
請求項２２に記載のマーカーであって、保磁力を有する前記少なくとも１つの低保磁力バイアス素子は活性状態で磁化され、非活性化状態で減磁されるマーカー。
【請求項２４】
請求項２２に記載のマーカーであって、保磁力を有する前記少なくとも１つのバイアス素子は活性状態で非磁化され、非活性化状態で磁化されるマーカー。
【請求項２５】
請求項２２に記載のマーカーであって、保磁力を有する前記少なくとも１つのバイアス素子は磁界にさらされて磁化されるように構成されているマーカー。
【請求項２６】
請求項２２に記載のマーカーであって、保磁力を有する前記少なくとも１つのバイアス素子は非活性化で磁化され、前記両方の磁化バイアス素子よって前記少なくとも１つの共振器を前記ＥＡＳシステムの周波数範囲外で作動させる磁界強度を生成するように構成したマーカー。
【請求項２７】
請求項２２に記載のマーカーであって、保磁力を有する前記少なくとも１つのバイアス素子は非活性化で減磁され、前記永久磁化バイアス素子が前記少なくとも１つの共振器を前記ＥＡＳシステムの周波数範囲外で作動させる磁界強度を生成するように構成したマーカー。
【請求項２８】
請求項２２に記載のマーカーであって、保磁力を有する前記少なくとも１つのバイアス素子が磁界にさらされて磁化されるように構成され、かつ、該保磁力を有して磁化されたバイアス素子と、前記永久磁化バイアス素子の両方によって、前記少なくとも１つの共振器の共振周波数を変えるように構成されたマーカー。
【請求項２９】
請求項２２に記載のマーカーであって、前記永久磁化バイアス素子は少なくとも１００エールステッドの保磁力を有するマーカー。
【発明の詳細な説明】
【技術分野】
【０００１】
本発明は、一般に、電子式物品監視（ＥＡＳ）システムで使用される磁気機械式マーカーと、該マーカの製造方法に関する。
【背景技術】
【０００２】
小売施設から商品の盗犯を防ぎ又は思いとどまらせるために電子式物品監視（ＥＡＳ）システムを提供することが知られている。典型的なＥＡＳシステムにおいて、例えば店の出口に置かれた装置が発生する電磁界又は磁界と相互作用するように構成されたマーカーが利用される。移動可能なタグかラベルが店又は中間的な場所の物品に通常置かれる。あるいはまた、タグかラベルは「ソースタギング」として知られる過程における製造の間に物品と一体化される。
【０００３】
マーカーがそのような発生装置の電磁界又は磁界、即ち、「尋問ゾーン」に持って来られると、マーカーの存在が検出され警報が発生される。除去可能なマーカーは商品の支払いのときにレジで通常取り外される。他のタイプのマーカー、例えば、物品と一体的なマーカーは、尋問ゾーンの中でマーカーの存在がもはや検出されないようにマーカーの電磁又は磁気特性を変えることで非活性化装置によってレジで非活性化される。
【０００４】
１つのタイプのＥＡＳマーカー（時々ＥＡＳタグ又はＥＡＳラベルと呼ばれる）は磁気歪共振素子を含んでいる磁気機械式マーカーを利用する。そのような磁気機械式マーカーの例は、アンダーソン他に付与された米国特許番号Ｎｏ．４，５１０，４８９、リュウ他に付与された米国特許番号Ｎｏ．５，４６９，１４０、及びリアン（Ｌｉａｎ）に付与された米国特許番号Ｎｏ．５，４９５，２３０に開示される。そのようなマーカーの共振素子は、典型的に、バイアス磁気素子に近接して細長いハウジング内に収納された所定長さのリボン状の磁気歪アモルファス材料で形成される。磁気歪素子は、バイアス素子があるレベルに磁化されたときに予定周波数で共鳴するように作られる。ＥＡＳシステムの尋問ゾーンの中で、適当な振動子がその予定周波数で交流磁界を提供し、バイアス素子があるレベルに磁化されたときに磁気歪素子はその場へさらされてこの周波数で機械的に共鳴する。そのようなマーカーはまた、「単一バイアスマーカー」と呼ばれる。
【０００５】
これらの磁気機械式マーカーの非活性化は、通常、磁気歪素子が機械的共振をやめるようにバイアス素子を消磁すること又は共振周波数を変えるによって実行される。しかしながら、バイアス素子が消磁されるとき、磁気機械式監視システムによるマーカーの検出はもう不可能であるが、それにもかかわらず、磁気歪素子は電磁尋問領域に応答して調波周波数をいまだ生成できる無定形磁気素子として作用するかもしれない。これは望ましいことではない。なぜならば、磁気機械式マーカーのついた物品の購入者がレジでマーカー消磁してもらった後に、調波ＥＡＳシステムが使用されている別の小売店に入るかもしれないからである。そのようなシナリオでは、消磁されたマーカーは第２の小売店の尋問信号に応答して調波周波数を発生させ警報を作動させるかもしれない。
【０００６】
さらに、この特定の消磁タイプの非活性化プロセスにより、強力な磁界の存在、例えば、駐車場におけるショッピングカートの固定用装置のために地面（床）に埋められた永久磁石によってマーカーが不意に再活性されるというリスクがある。したがって、一例として、磁気機械式マーカーを含んでいるこれらのラベルが（ソースタギングのように）靴や衣服などの製品に取り付けられており、そのような物品を購入した客がその物品を持って他の施設内に入るかもしれない。これらの磁気機械式マーカーは不意に再活性され警報を発生させるかもしれない。
【発明の概要】
【０００７】
磁気機械電子式の物品監視システムに使用するマーカーを提供する。マーカーは少なくとも１つの共振器と、前記少なくとも１つの共振器の振動のための空洞を提供するハウジングと、前記少なくとも１つの共振器のためにバイアス磁界を提供するように構成された第１バイアス素子と、非磁化第２バイアスの素子とを含むことができる。
【０００８】
磁気機械電子式物品監視システムにおいてマーカーを非活性化する方法をもまた提供する。方法は、共振器を備えるマーカーを提供し、そのマーカーを第１磁化レベルで使用する第１バイアス素子を構成することを含むことができる。方法は、さらに、第２磁化レベルでのマーカーの使用のための第２バイアス素子を構成し、所定磁界強度を有する磁界にさらされた際に第１及び第２バイアス素子の磁化レベルが実質的に等しくなるように構成することを含むことができる。
【０００９】
所定周波数で共振するように構成された電子式物品監視（ＥＡＳ）システムマーカーが提供される。非活性化の後に、磁界にさらされたときにマーカーを所定周波数と異なる周波数で共振させるように構成することができる。
【００１０】
磁気機械電子式物品監視（ＥＡＳ）システムに使用するマーカーであって、少なくとも１つの共振器と、該共振器の振動を内部において許容するように構成されたハウジングと、前記ハウジング内に設けられ前記少なくとも１つの共振器のためのバイアス磁界を与えるように構成されて少なくとも１つの永久磁化バイアス素子と、前記ハウジングの中に設けられた少なくとも１つのバイアス素子とを含んでなるマーカーをまた提供する。これらのバイアス素子は該バイアス素子の磁化と減磁を可能にする保磁力を有する。
【発明の詳細な説明】
【００１１】
本発明の様々な実施の形態をより良い理解できるようにするために、以下の詳細な説明を参照すべきである。説明は添付図面に関連して読まれるべきである。なお、図面においては、同様な要素に同様な番号を使用している。
【００１２】
説明を簡便かつ容易にするために、本発明の様々な実施の形態がここに説明されるが、当業者は様々な実施の形態の特徴と利点がさまざまな構成で実施されうることが理解できるであろう。したがって、説明される実施の形態は発明を制限するものではなく、説明のために提示されるものであることが理解される。
【００１３】
図１はＥＡＳシステム１０を示し、該システムは、第１アンテナペデスタル１２と第２アンテナペデスタル１４を含むことができる。アンテナペデスタル１２と１４は、送信機１８と受信機２０を含むことができる制御装置１６に連結される。制御装置１６は、外部装置、例えば、多くのＥＡＳシステムの作動を制御又はモニターするコンピュータシステムとのコミュニケーションを可能にするように構成される。さらに、制御装置１６は、送信機１８からの送信と、受信機２０での受信を制御するように構成され、ＥＡＳマーカー３０が受信した信号の送信と、ＥＡＳマーカー３０の活性によって発生する信号の受信の両方のためにアンテナペデスタル１２，１４を利用できる。一般にアンテナペデスタル１２と１４の間に位置する尋問ゾーン３２の中にＥＡＳマーカー３０があるときに特にそのような受信は通常起こる。
【００１４】
システム１０は多くのＥＡＳシステムの実施の形態を代表するものであり、かつ、例示的な目的のだけのために提供される。例えば、代替の実施の形態で、制御装置１６をアンテナペデスタル１２と１４の１つの中に配設することができる。まだ別の実施の形態では、ＥＡＳマーカー３０から信号を受信するだけの追加のアンテナをＥＡＳシステムの一部として利用することができる。ペデスタル内に設けられ、あるいは別個に設けられた単一ユニット１６が複数のセットのアンテナペデスタルを制御するように構成される。よく知られているように、例えば小売業のレジに組み入れられた非活性化装置４０は、物品の購買のときに、該物品の中又は上に取り付けられ又は統合されたＥＡＳマーカー３０を消磁するのに利用される。以下でさらに説明するように、ＥＡＳマーカー３０が尋問ゾーン３２を通るとき、ＥＡＳマーカー３０の中のバイアス素子を消磁することは警報を発生させない（ＥＡＳマーカー３０の活性によって発生する信号は受信機２０によって認識されない）。
【００１５】
図２は磁気機械式ＥＡＳマーカー１００（そのマーカーは、また、時々ラベルと呼ばれる）の実施の形態を示す。ＥＡＳマーカー１００は、１つ又は２以上の磁気歪共振器１１２が共振周波数で振動できる十分なスペースを提供する空洞に位置するそれらの磁気歪共振器１１２を含むことができる。共振器１１２の共振周波数は、共振器の長さと幅及びそのような共振器の近くの磁界強度に少なくとも部分的に依存して決定される。第１バイアス素子１１４を粘着層を使用してハウジング１１６に取り付けることができる。磁化によりバイアス素子１１４を完全に飽和状態にした後に、ラベル１００は活動的状態にある。ラベル１００の中に発生した共振周波数の共振周波数と振幅は、バイアス素子１１４が提供する磁界強度に基づいて特定の検出アルゴリズムのために最適化されている。
【００１６】
マーカー１０は追加バイアス素子１２０を含むことができ、この素子１２０は消磁され、バイアス素子１１４と同じ寸法を持ちかつそれと同じ材料から作られる。用語「マーカー」（図２で参照番号１００によって示される）は一般に、ハウジング１１６の中に含まれる磁気歪素子（共振器１１２）とバイアス素子１１４及び１２０の組合せであって、商品に取り付けられ又は関連づけられて盗犯から保護されるためのものをいう。様々な実施の形態では、マーカー１００は粘着層１１８によってハウジング１１６に取り付けられて閉ざされる。また、マーカー１００はここでは、上で説明される当技術分野でよく知られる単一バイアスマーカーと区別するために、時々、二重バイアスマーカーと呼ばれる。マーカー１００は、様々な方法（例えば、接着剤）を使用することで、ある物品ではその外部に取り付けられ、また、他の物品ではそのパッケージの中に含まれる。また、マーカー１００はある物品（例えば、成型品）では、その生産の間にその中に永久に埋め込まれる。
【００１７】
追加バイアス素子１２０はここでは第２バイアス素子と呼ばれる。この追加の非磁化バイアス素子１２０も第２粘着層１２２と蓋ストック層１２４を使用することでラベルアセンブリ１００に取り付けられる。実施の形態では、追加バイアス素子１２０のバイアス素子１１４の活性作動への影響は最小である。なぜなら、バイアス素子１２０は磁化されていないため、磁気回路を大きく変更しないからである。代替の実施の形態では、バイアス素子１１４と１２０は、１つの積重ね配向（図２に示すもの）又は並列配向としてマーカー１００の中で配向される。他の実施の形態では、マーカー１００は、１つの積重ね構成、１つの並列構成、又は積重ね構成と並列構成の組合せとして配向された複数の磁化バイアス素子１１４と複数の非磁化バイアス素子１２０を含むことができる。
【００１８】
したがって、バイアス素子１１４が例えば店補レジの非活性化装置で消磁されるとき、追加バイアス素子１２０は消磁されたまま残っている。しかしながら、バイアス素子１１４が万一、例えば、強磁界にさらされてもう一度磁化されるならば、追加バイアス素子１２０もまた磁化されるようになっている。バイアス素子１１４と、追加バイアス素子１２０の両方を磁化させる効果は、単一バイアス素子が発生する磁界よりも大きい磁界強度がバイアス素子１１４と１２０の両方によって生成されることである。この増加する磁界強度は共振器１１２の機能的作動に変化をもたらす。特に、バイアス素子１１４と、追加バイアス素子１２０の両方が磁化されると、ラベル１００は、ＥＡＳマーカー１００が元々共振することを意図した周波数と異なる周波数で共振するので、事実上、ラベル１００は非活性化される。したがって、ラベル１００がＥＡＳシステム（例えば、図１に示すＥＡＳシステム１０）の尋問ゾーンを通っても、共振器１１２がＥＡＳシステム１０の周波数範囲外の周波数で作動するので、警報が発生されない。
【００１９】
図３は、第２バイアス素子１２０を加えた前と、後の両方をテストした複数のＥＡＳラベル１００の分布を示す図１５０である。図示されるように、第２バイアス素子１２０を追加したばあい、ＥＡＳラベル１００の平均共振周波数を約８０Ｈｚ増加させると共に、ＥＡＳラベル１００によって生成された信号の振幅を約５パーセント減少させる。
【００２０】
図４はＥＡＳマーカー１００の表面の約１５．２ｃｍ（約６インチ）上に位置する不活性化装置でＥＡＳマーカー１００を非活性化した結果を示す図２００である。図示されるように、平均共振周波数が約２ｋＨｚ増加し、振幅は活性ラベルの７２パーセントまで減少した。非活性化後の共振特性のそのような変化は、単一のバイアス素子だけを組み込んだＥＡＳラベルと同様である。
【００２１】
図５は消磁された二重バイアスラベル（例えば、ＥＡＳマーカー１００）に対するＤＣ磁界の効果を示す図２５０である。ＤＣ磁界が二重バイアスラベルの縦軸に沿って適用されて、次に、ゼロまで減少される。ＥＡＳマーカー１００からの周波数と振幅が次に測定される。そのような磁界は、それが２５エールステッド（Ｏｅ）の保磁力に達するまで、初めは、バイアス素子の磁気状態を変えるように見えない。これは、磁界強度が２５エールステッドより少ないときに、安定した共振器周波数と振幅によって反映される。しかしながら、ＤＣ磁界が２５エールステッドより大きいとき、磁界はバイアス素子を磁化させ始める。したがって、ＤＣ磁界強度の狭い窓が存在し、これはバイアス素子１１４と１２０を部分的に磁化させる。
【００２２】
その結果、二重バイアス素子は、共振器が活性状態で作動するように適切な磁界を提供する。この例では、ＤＣ磁界の範囲は３３〜４３エールステッドである。この上限を超えると、バイアス素子１１４と１２０は飽和に達し、そこでは、過度の磁界強度が共振器周波数と振幅を検知範囲外のものとする。一端、検知範囲外のものとなると、ＥＡＳマーカー１００は本質的に再び非活性化される。
【００２３】
図６は、比較のために、公知の単一のバイアスラベルに対する同じＤＣ磁化効果を示す図３００である。ラベルを活性状態にする磁界強度は約３３エールステッドである。しかしながら、この場合、上限がない。この構成を備えるラベルはこの強度より大きい磁界によって活性化される。
【００２４】
上で説明された複数の実施の形態は、元々異なる磁化レベルのバイアス素子であるが、両方のバイアス素子が同じ磁化レベルに磁化されるように、非活性化され及び／又は再活性化されうるバイアス素子を組み込んだＥＡＳマーカーに関する。二重バイアス素子ＥＡＳマーカーのさらなる実施の形態は永久的に磁化されたバイアス素子（例えば、高保磁力を有する硬質磁石）と、上で説明されるように磁化され減磁され低保磁力を有するバイアス素子を含む。ここに使用されるように、高保磁力とは約１００エールステッド又は１００エールステッドを超える保磁力をいう。そのようなレベルの磁化はそのような装置の脱磁を難しくする。永久的に磁化しているバイアス素子の１つの実施の形態では、素子は少なくとも１５００エールステッドのレベルに磁化されている。
【００２５】
そのようなＥＡＳマーカーの１実施の形態では、両方の素子は、マーカーが製品内に使用されるように用意されるので、磁化されている。両方のバイアス素子を磁化することは時々、「オーバーバイアス」と呼ばれる。そのようなＥＡＳマーカーの非活性化は、低保磁力素子の減磁、引いては、ＥＡＳマーカーの動作周波数を変えることを含んでいる。
【００２６】
別の実施の形態では、永久磁化バイアス素子は磁化され、低保磁力バイアス素子は、マーカーが製品中に使用されるように用意されるので、非磁化されている。そのようなマーカーの非活性化は、低保磁力製品の磁化、引いては、ＥＡＳマーカーの動作周波数を変えることを含んでいる。
【００２７】
ここで説明された様々な実施の形態は二重バイアス素子デザイン（例えば、ＥＡＳマーカー１００）を提供する。このデザインは、消磁されたラベルを不意に活性化する磁界を狭い範囲に制限し、ＥＡＳラベルの不意の再活性化を減少させる。
【００２８】
ここに使用されるように、「磁気歪素子」は、適切に活性化されたときに尋問信号に応答してユニークな信号式信号を生成するいかなる活性磁気要素をいう。また、ここで使用される用語「バイアス素子」は、磁気歪素子の保磁力と比べて比較的高い保磁力を有する磁性材料を含み、磁気歪素子の機械的な共振周波数を制御するために磁化又は脱磁可能な（例えば、偏倚又は非偏倚状態にされる）いかなる制御素子をいう。
【００２９】
ここに説明されたマーカー１００はさまざまなＥＡＳ応用例に適用できる。例えば、マーカー１００は、それが製品の製造時に製品に一体化される、いわゆる「ソースタギング」において作動可能である。
【００３０】
本発明を様々な特定の実施の形態について説明したが、発明の技術的思想の範囲内かつ特許請求の範囲内で変更を伴って実施できることを当業者は認めることができるであろう。
【図面の簡単な説明】
【００３１】
【図１】電子式物品監視システムの説明図であり、該システムによって発生された尋問領域の中に位置する磁気機械式マーカーを示す図である。
【図２】発明の実施の形態のマーカーの説明図である。
【図３】第２バイアス素子がマーカーに組み入れられる前後のラベル周波数と振幅の比較を示す図である。
【図４】非活性化後の二重バイアスマーカーの周波数変化と振幅変化を示す図である。
【図５】パルスＤＣ電界にさらされた後の二重バイアスマーカーの周波数変化と振幅変化を示す図である。
【図６】パルスＤＣ電界にさらされた後の単一バイアスマーカーの周波数変化と振幅変化を示す図である。
【図１】
2008510225.tif 000003
【図２】
2008510225.tif 000004
【図３】
2008510225.tif 000005
【図４】
2008510225.tif 000006
【図５】
2008510225.tif 000007
【図６】
2008510225.tif 000008
【国際調査報告】
2008510225.tif 000009
2008510225.tif 000010
2008510225.tif 000011
2008510225.tif 000012
2008510225.tif 000013